(57)【特許請求の範囲】
【請求項１】
底部及び周囲壁部からなる餌を収納可能な容器体の周囲壁部に釣糸が通過可能な通過間隙部を対向状に設けてなり、上記底部に容器体内を区画すると共に一方の上記通過間隙部から容器体内の餌内を介して他方の上記通過間隙部へと通過する多数の釣針を取り付けた釣糸の通過経路を迂回させる迂回隆起部を設けてなることを特徴とする餌付け器。
【請求項２】
上記迂回隆起部は上記釣糸の通過経路方向に延びる半卵形状に形成されていることを特徴とする請求項１記載の餌付け器。
【請求項３】
上記容器体に竿受けに掛止可能な係止部を設けてなることを特徴とする請求項１又は２記載の餌付け器。
【請求項４】
上記容器体に上記通過間隙部から外方に落下する餌を受ける餌受け部を設けてなることを特徴とする請求項１〜３のいずれか１項に記載の餌付け器。
【請求項５】
上記餌受け部を容器体に着脱自在に設けてなることを特徴とするの請求項４記載の餌付け器。
【発明の詳細な説明】
【０００１】
【発明の属する技術分野】
本発明は例えばコマセ、アミエビ等の魚釣り用餌を釣糸に付けた釣針に付ける際に用いられる餌付け器に関するものである。
【０００２】
【従来の技術】
従来、この種の餌付け器として、例えば、実公平７−４８０６８号公報に示す如く、底部及び周囲壁部からなる餌を収納可能な容器体の周囲壁部に釣糸が通過可能な通過間隙部を対向状に設けてなり、この容器体内に餌を収納し、多数の釣針を取り付けた釣糸を一方の通過間隙部から容器体内の餌内を介して他方の通過間隙部又は他方の間隙部から一方の通過間隙部へと交互に引っ張って通過させることにより釣針に餌を付けるように構成している。
【０００３】
【発明が解決しようとする課題】
しかしながら上記従来構造の場合、釣糸は一方の通過間隙部から容器体の中程部の同じ位置を経て他方の通過間隙部へと引っ張られて通過するので、餌付けに伴って針糸の通過経路の餌が少なくなったら時々餌を通過経路に寄せてあげる必要があり、又、釣糸は容器体内を直線状の通過経路を通過するので餌付け距離が少なくて餌付け能率が低下することがあるという不都合を有している。
【０００４】
【課題を解決するための手段】
本発明はこれらの課題を解決することを目的とし、本発明のうちで、請求項１記載の発明は、底部及び周囲壁部からなる餌を収納可能な容器体の周囲壁部に釣糸が通過可能な通過間隙部を対向状に設けてなり、上記底部に容器体内を区画すると共に一方の上記通過間隙部から容器体内の餌内を介して他方の上記通過間隙部へと通過する多数の釣針を取り付けた釣糸の通過経路を迂回させる迂回隆起部を設けてなることを特徴とする餌付け器にある。
【０００５】
又、請求項２記載の発明は、上記迂回隆起部は上記釣糸の通過経路方向に延びる半卵形状に形成されていることを特徴とするものであり、又、請求項３記載の発明は、上記容器体に竿受けに掛止可能な係止部を設けてなることを特徴とするものであり、又、請求項４記載の発明は、上記容器体に上記通過間隙部から外方に落下する餌を受ける餌受け部を設けてなることを特徴とするものであり、又、請求項５記載の発明は、上記餌受け部を容器体に着脱自在に設けてなることを特徴とするのものである。
【０００６】
【発明の実施の形態】
図１乃至図６は本発明の実施の形態例を示し、１は容器体であって、合成樹脂により製作され、底部１ａ及び周囲壁部１ｂからなる餌Ｗを収納可能な開口容器上に形成され、この容器体１の周囲壁部１ｂに多数の釣針Ｓを取り付けた釣糸Ｔが通過可能な通過間隙部２・２を対向状に設けてなる。
【０００７】
３は迂回隆起部であって、上記容器体１の底部１ａに一体に隆起して形成され、迂回隆起部３は容器体１内を区画すると共に一方の上記通過間隙部２から容器体１内の餌Ｗ内を介して他方の上記通過間隙部２へと通過する釣糸Ｔの通過経路Ｒを迂回させる形状に形成され、この場合、迂回隆起部３の外面形状を釣糸Ｔの通過を円滑にする半卵形状に形成している。
【０００８】
４は係止部であって、上記容器体１の一方の底面に断面Ｕ状に形成され、竿受けＦの受杆Ｆ1に圧入掛止可能に設けられている。
【０００９】
５・５は餌受け部であって、開口容器状に形成され、開口縁部は釣針Ｓの引っ掛かりを防ぐ曲面形状に形成され、上記容器体１の通過間隙部２・２のそれぞれの外方位置に着脱自在に二個設けられ、この場合、容器体１に掛止溝部１ｃを形成すると共に餌受け部５・５に掛止溝部１ｃに着脱掛止可能な掛止凸部５ａを形成してなる。
【００１０】
この実施の形態例は上記構成であるから、図５の如く、容器体１内に餌Ｗを収納し、多数の釣針Ｓを取り付けた釣糸Ｔを一方の通過間隙部２から容器体１内の餌Ｗ内を介して他方の通過間隙部２へと引っ張って通過させることにより釣針Ｓに餌Ｗが付けられることになり、この際、上記容器体１の底部１ａに容器体１内を区画すると共に一方の上記通過間隙部２から容器体１内の餌Ｗ内を介して他方の上記通過間隙部２へと通過する多数の釣針Ｓを取り付けた釣糸Ｔの通過経路Ｒを迂回させる迂回隆起部３を設けてなるから、迂回隆起部３により容器体内１が二つに区画されると共に二つの釣糸Ｔの通過経路Ｒを得ることができ、それだけ、餌Ｗ付け能率を高めることができ、かつ、釣糸Ｔは容器体１内を曲線状に通過するので餌付け距離を長くすることができ、一層餌付け能率を高めることができる。
【００１１】
又、この場合、上記迂回隆起部３は上記釣糸Ｔの通過経路Ｒ方向に延びる半卵形状に形成されているから、釣針Ｓの引っかかりを防いで迂回隆起部３に接触しての釣糸Ｔの通過を円滑に行うことができ、又、この場合、上記容器体１に竿受けＦに掛止可能な係止部４を設けてなるから、図６の如く、使用の利便性を高めることができる。
【００１２】
又、この場合、上記容器体１に上記通過間隙部２・２から外方に落下する餌Ｗを受ける餌受け部５を設けてなるから、餌付け時に餌Ｗが外方にこぼれ落ちても餌受け部５が受け止めるので、餌の周囲への散乱を防ぐことができ、しかも、この場合、上記餌受け部５を容器体１に着脱自在に設けてなるから、餌受け部５にこぼれ落ちた餌Ｗを容器体１の上方で反転させることにより餌受け部５内に戻すことができ、餌Ｗを有効に利用することができる。
【００１３】
尚、本発明は上記実施の形態例に限られるものではなく、例えば容器体１、迂回隆起部３の形状や構造、材質等は適宜変更して設計されるものである。
【００１４】
【発明の効果】
本発明は上述の如く、請求項１記載の発明にあっては、容器体内に餌を収納し、多数の釣針を取り付けた釣糸を一方の通過間隙部から容器体内の餌内を介して他方の通過間隙部へと引っ張って通過させることにより釣針に餌が付けられることになり、この際、上記容器体の底部に容器体内を区画すると共に一方の上記通過間隙部から容器体内の餌内を介して他方の上記通過間隙部へと通過する多数の釣針を取り付けた釣糸の通過経路を迂回させる迂回隆起部を設けてなるから、迂回隆起部により容器体内が複数に区画されると共に複数の釣糸の通過経路を得ることができ、それだけ、餌付け能率を高めることができ、かつ、釣糸は容器体内を曲線状に通過するので餌付け距離を長くすることができ、一層餌付け能率を高めることができる。
【００１５】
又、請求項２記載の発明にあっては、上記迂回隆起部は上記釣糸の通過経路方向に延びる半卵形状に形成されているから、釣針の引っかかりを防いで迂回隆起部に接触しての釣糸の通過を円滑に行うことができ、又、請求項３記載の発明にあっては、上記容器体に竿受けに掛止可能な係止部を設けてなるから、使用の利便性を高めることができ、又、請求項４記載の発明にあっては、上記容器体に上記通過間隙部から外方に落下する餌を受ける餌受け部を設けてなるから、餌付け時に餌が外方にこぼれ落ちても餌受け部が受け止めるので、餌の周囲への散乱を防ぐことができ、又、請求項５記載の発明にあっては、餌受け部を容器体に着脱自在に設けてなるから、餌受け部にこぼれ落ちた餌を容器体の上方で反転させることにより餌受け部内に戻すことができ、餌を有効に利用することができる。
【００１６】
以上の如く、所期の目的を充分達成することができる。
【図面の簡単な説明】
【図１】本発明の実施の形態例の全体斜視図である。
【図２】本発明の実施の形態例の縦断面図である。
【図３】本発明の実施の形態例の横断面図である。
【図４】本発明の実施の形態例の部分斜視図である。
【図５】本発明の実施の形態例の使用状態の平面図である。
【図６】本発明の実施の形態例の使用状態の正面図である。
【符号の説明】
Ｗ  餌
Ｓ  釣針
Ｔ  釣糸
Ｒ  通過経路
１  容器体
２  通過間隙部
３  迂回隆起部
４  係止部
５  餌受部
【図１】
0003903158.tif 000002
【図２】
0003903158.tif 000003
【図３】
0003903158.tif 000004
【図４】
0003903158.tif 000005
【図５】
0003903158.tif 000006
【図６】
0003903158.tif 000007